(57)【要約】【課題】認知症となった高齢者が一定規模な生活の場であるグループホームにおいて、広い部屋に複数のスプリンクラヘッドが同時に開放すると、配管内を流れる水が一気に増え、水道の給水能力がこれに追いつかないため、スプリンクラヘッドの消火に必要な放水圧力を達することができない恐れがある。【解決手段】  水道管と直結される主配管２からスプリンクラヘッド１２または２２へ消火水を供給するグループホーム向けのスプリンクラ消火設備１００において、複数のスプリンクラヘッドが一つの部屋としてのリビング室Ａに設置され、同時に開放することができ、上記所定数のスプリンクラヘッド１２および２２は、それぞれ上記主配管２から分岐されたサブ配管１０および２０に接続されている。【選択図】  図１
2007330400.tif 000002
【特許請求の範囲】
【請求項１】
水道管と直結されて各部屋に消火水を供給する配管を２系統以上配設するとともに、前記各部屋ごとに前記配管から分岐して接続されるスプリンクラヘッドの個数が所定数以下に制限されていることを特徴とするスプリンクラ消火設備。
【請求項２】
各部屋ごとに、各配管から分岐した分岐管が配置され、該分岐管に必要数のスプリンクラヘッドを分配して接続している請求項１記載のスプリンクラ消火設備。
【発明の詳細な説明】
【技術分野】
【０００１】
本発明は、スプリンクラ消火設備、特にグループホーム向けのスプリンクラ消火設備配管の配設に関するものである。
【背景技術】
【０００２】
グループホームは、認知症となった高齢者が一定規模な生活の場で共同生活することにより、食事の支度や掃除、洗濯などをスタッフと共同で行い、家庭的で落ち着いた雰囲気の中で、認知症状の進行を穏やかにし、家庭介護の負担を軽減する場所である。グループホームの火災発生を防止して災害弱者を保護するために、スプリンクラ消火設備を設置すべきであるが、可燃性の家具等の量が一般住宅と同程度であること、各個室も一般住宅と同程度の面積を有することなど、一定の防火安全性能が認められる範囲で、通常のスプリンクラ消火設備の代えて水道の水圧により火災時に自動的に放水することができる住宅用スプリンクラ消火設備の設置が認められている。
【０００３】
住宅用スプリンクラ消火設備の作動原理は、一般のスプリンクラ消火設備と同様であるが、スプリンクラ消火設備専用の水源、ポンプ、自家用発電設備を要さず、水道管直結で放水するものである。（例えば、特許文献１）。
【特許文献１】特開２００１−２１８８６５号公報
【発明の開示】
【発明が解決しようとする課題】
【０００４】
グループホームにおけるスプリンクラ消火設備が住宅スプリンクラ消火設備に準ずれば、スプリンクラ消火設備の専用水源やポンプなどが不要で、水道管直結で放水することが可能である。ところで、グループホームは共同生活の特徴があるため、居住者の共有室、例えばリビング室の面積は一般住宅のリビング室よりはるかに広く、場合によって４〜６個のスプリンクラヘッドを一つのリビング室に設置する必要がある。リビング室に住宅用スプリンクラ消火設備、特に配管をそのままで使えば、火災が発生して複数のスプリンクラヘッドが同時に開放されると、スプリンクラヘッドは消火に必要な放水圧力が確保できなくなる事態が発生する恐れがある。図２は、この従来の住宅用スプリンクラ消火設備をグループホームに設置した一例が示されている。例えば、リビング室Ａに４個のスプリングヘッド１２、２２が設置され、かつこれらのスプリンクラヘッドが配管３０に接続されている。火災時すべて開放すれば（各スプリンクラヘッド１個分の放水量を３０Ｌ／ｍｉｎとする）、次の流量が必要になる。
【０００５】
配管３０の流量＝３０Ｌ／ｍｉｎ×４＝１２０Ｌ／ｍｉｎ
このように、４個のスプリンクラヘッド（１２、２２）が同時に開放すると、配管３０内に流れる水が増え、水道の給水能力がこれに追いつかないため、スプリンクラヘッドの消火に必要な放水圧力を達することができない恐れがある。また、配管のサイズを太くして給水能力をアップさせることもできるが、サイズを太くすることは大きなコストアップとなる。
【課題を解決するための手段】
【０００６】
この発明は、上記課題を解決するためになされたもので、水道管と直結されて各部屋に消火水を供給する配管を２系統以上配設するとともに、前記各部屋ごとに前記配管から分岐して接続されるスプリンクラヘッドの個数が所定数以下に制限されていることを特徴とする。
【発明の効果】
【０００７】
本発明によれば、水道管と直結されて各部屋に消火水を供給する配管を２系統以上配設するとともに、前記各部屋ごとに前記配管から分岐して接続されるスプリンクラヘッドの個数が所定数以下に制限されているため、通常は例えばリビング室に設置しているスプリンクラヘッドの配管を一系統に纏めるところを複数のサブ配管（系統）に分け、サブ配管あたりの水量を減らすことで、複数のスプリンクラヘッドが同時に開放しても水道の給水能力がこれに追いつくことができ、スプリンクラヘッドの放水圧力が確保できる。
【発明を実施するための最良の形態】
【０００８】
この発明を実施するための実施形態を図１に示し、以下にこのグループホーム用スプリンクラ消火設備の構成及び作動の手順を簡単に説明する。
【０００９】
実施形態１
図１は本発明を用いるグループホーム向けのスプリンクラ消火設備１００の系統図である。
【００１０】
このグループホーム向けのスプリンクラ消火設備１００は、水道メーター１と、水道管と直結する主配管２と、主配管２から分岐され、系統１としてのサブ配管１０と、サブ配管１０からさらに分岐されて、２個のスプリンクラヘッド１２が取り付けられている枝配管１１と、を有し、同様に、系統２としてのサブ配管２０と、サブ配管２０にさらに分岐されて、２個のスプリンクラヘッド２２が取り付けられている枝配管２１と、を有するように構成されている。給水管５は生活用水の配管であり、浴室、台所などの給水栓６と接続されている。また系統１には、サブ配管１０と給水管５を開閉制御する制御弁１３が設けられ、系統２にはサブ配管２０と給水管５を開閉制御する制御弁２３が設けられている。さらに、制御弁１４はサブ配管１０を単独で開閉制御できるバルブで、制御弁２４はサブ配管２０を単独で開閉制御できるバルブである。
【００１１】
ここで、主配管２から分岐されたサブ配管１０、２０は、グループホームの各部屋に給水できるように配設され、図示しないが多数のスプリンクラヘッドに枝配管を介して接続されている。
【００１２】
以下、図１の構成につき、このスプリンクラ消火設備１００が作動する手順を簡単に説明する。
【００１３】
例えばリビング室Ａに火災が発生して、比較的に大きな炎によってリビング室Ａに設置されている４個すべてのスプリンクラヘッドが同時に開放する場合、各スプリンクラヘッドの放水量は３０Ｌ／ｍｉｎとすると、次の流量が必要になる。
【００１４】
サブ配管１０の流量は、３０Ｌ／ｍｉｎ×２＝６０Ｌ／ｍｉｎ
サブ配管２０の流量は、３０Ｌ／ｍｉｎ×２＝６０Ｌ／ｍｉｎ
したがって、従来は配管３０に１２０Ｌ／ｍｉｎ必要だった流量を、サブ配管１０およびサブ配管２０に分流して、サブ配管１０または２０あたりの流量を６０Ｌ／ｍｉｎに押さえることができから、水道の給水能力がスプリンクラヘッドの同時開放に追いつくことができ、配管サイズを太くしなくても、住宅用の場合と同等の配管をグループホームに使用することができる。
【００１５】
そのためには、リビング室Ａ以外の部屋でも、サブ配管１０、２０に枝管を介して接続されるスプリンクラヘッドの個数は所定数として最大２個となるように設計されなければならない。
【００１６】
この実施形態１によれば、水道管と直結される主配管２からスプリンクラヘッド１２または２２へ消火水を供給するグループホーム向けのスプリンクラ消火設備１００において、複数のスプリンクラヘッドが一つの部屋としてのリビング室Ａに設置され、同時に開放することができ、上記所定数のスプリンクラヘッド１２および２２は、それぞれ上記主配管２から分岐されたサブ配管１０および２０に接続されている。
【００１７】
この実施形態では、水道管としての主配管２をサブ配管１０および２０に、すなわち二つ系統に分岐することを記載したが、これに限定することなく、さらに多くの系統に分岐してもよく、また、スプリンクラヘッドの放水圧力を維持するため、水道管を複数系統に分岐しても差し支えない。
【図面の簡単な説明】
【００１８】
【図１】実施形態１に係わるグループホーム向けのスプリンクラ消火設備１００である。
【図２】従来の住宅用スプリンクラ消火設備である。
【符号の説明】
【００１９】
１          水道メーター
２          主配管
５          給水管
６          給水線
１０、２０  サブ配管（系統）
１１、２１  枝配管
１２、２２  スプリンクラヘッド
Ａ          リビング室（部屋）
【図１】
2007330400.tif 000003
【図２】
2007330400.tif 000004